(57)【要約】【課題】タッチパッド上に手や指等が触れても、ノートパソコンの操作に影響することが無くスムーズに行えること。【解決手段】ノートパソコンのタッチパッド上に、図１−１の様なタッチパッドスライドケースを貼ることにより、スライドケースを枠として２のスライドトビラの開閉機能により、タッチパッドの有効か無効かを選ぶことが出来るようにした。当該品はノートパソコン本体に両面テープで簡単に貼ることができ直に実行可能である。また当該品の厚さは、今のところ１．５ミリの厚さで殆んどのノートパソコンは閉じた液晶画面に接触することが無いようにした。【選択図】図１
0003112130.tif 000002
【実用新案登録請求の範囲】
【請求項１】
ノートパソコンにはつき物のタッチパッドの上部に、左右にスライドする開閉トビラを設けることで、誤って手や指が触れることなく画面上カーソルが勝手に移動することなく、思い通りキーの操作が出来ることを特徴としたタッチパッドカバー。
【考案の詳細な説明】
【技術分野】
【０００１】
本発明は、誤ってキーパッドに触れることが無くノートパソコンのキータッチ操作が容易に出来、手の置き場所も十分に確保できる開閉式カバーに関するものである。
【背景技術】
【０００２】
パソコンでもディスクトップ型はキーボードのみで構成されているため、キーの操作上特に問題は無いが、ノート型パソコンではキーの操作の際、時として指等が誤ってタッチパッドに触れてしまい、カーソルが勝手に移動してしまうとか画面が変わってしまう事がある。今のノートパソコンはマウスを入れるとタッチパッドの回線が切れてマウス優先なる物もあるが、そうでない物も多い。  
【０００３】
また、タッチパッドに触れないよう気にしながら操作する事は余計な神経を使う事になると同時に、思い切り腕が乗せられない事から腕や肩の疲れも伴ってくる。
【０００４】
しかしながら、ノートパソコンからタッチパッドを無くす訳にはず、またマウスを使用としない人からするとかなり魅力で、必要不可欠である。この様な事からタッチパッドを使用しない人がただ単にタッチパッドの上にフタをしてしまえばよい、という事も一利はあるが、これだとマウスが無いときや自分以外の人が使用するときには、いちいち取り外さなければならないという不便さがある。
【０００５】
この改善策として、タッチパッド上部にスライド出来る開閉トビラを設け、タッチパッドを使用する人と使用しない人がどちらでも使い分けできるようにした。    
【非特許文献１】暦本  純一氏「タッチパッド用対話技法の提案」
【考案の開示】
【考案が解決しようとする課題】
【０００６】
タッチパッドに指等が触れると突然ウインドウが変わったり知らないうちにカーソル位置が移動していたりするため操作が中断してしまう事が多い。
【課題を解決するための手段】
【０００７】
本考案は、タッチパッド周囲にスライドトビラを収納できるスライドケースを設け、トビラを開閉出来るようにしパソコン本体に両面テープで貼り付けられるようにした。
【考案の効果】
【０００８】
本考案のスライドカバーは、タッチパッド上部に貼ることで気にすることなくキータッチ操作が出来、全くカーソルの誤作動も無くなった。
【考案を実施するための最良の形態】
【０００９】
タッチパッドスライドカバーの色を何色か用意することによって、使用する人の楽しみが一層増えると同時に、ノートＰＣに向かう時間も増えるかもしれない。またスライドカバー全体の厚みを極力薄く抑えることにより、ノートパソコン使用終了時の閉じた際にディスプレイ側に当たらない様にした。
【実施例１】
【００１０】
図１は、本考案装置の１実施例の図であって、１はスライドケース、２はスライドトビラ、３はスライドトビラを開き易くする為の凹みになっているフック、４はスライドトビラが収納できるフクロ部分、そして５はスライドケースの底部で両面テープが貼られる。
【００１１】
図にある断面図は４/1の尺度で書かれているが、厚みは１．５ミリ程度で成り立っている。
【００１２】
図２の実施例は、当該品を実際に取り付けたJPG写真で、一例である。ノートパソコンの機種によってタッチパッドの大きさや形がそれぞれ異なるため、機種に合わせたデザインが必要となる。
【産業上の利用可能性】
【００１３】
ノートパソコンの普及は今後も目覚しい発展があると思われ、その年齢層もかなり低くなり小さな子供までが使用するようになってきた。こうしたことから当該品を取り付けることは、ノートパソコンを一層便利なものとし尚且つ、誤った動作によりノートパソコンのイメージを害することなく「完全なもの」という認識が出来れば更なる普及が見込まれる。
【図面の簡単な説明】
【００１４】
【図１】タッチパッドスライドカバーの実施方法を示した２D図である。（実施例１）
【図２】タッチパッドスライドカバーの実施方法を示した取り付け図である。（実施例２）
【符号の説明】
【００１５】
１    スライドケース
２    スライドトビラ
３    フック
４    フクロ
５    底面
【００１６】
１    スライドケース
２    スライドトビラ
３    タッチパッド
４    ノートパソコン
【図１】
0003112130.tif 000003
【図２】
0003112130.tif 000004
【手続補正書】
【提出日】平成17年4月25日(2005.4.25)
【手続補正１】
【補正対象書類名】実用新案登録請求の範囲
【補正対象項目名】請求項１
【補正方法】変更
【補正の内容】
【請求項１】
ノートパソコンに装備されたタッチパッド部分の、タッチパッドパネルをすべて覆う樹脂製または金属製の後付けカバー部品を両面テープでノートパソコン本体に貼り付けて固定設置し、カバー部品の上部には左右にスライドして開閉出来るトビラと、トビラを収納できるスライドケースを設けることによって、タッチパッドを使用する時はトビラを開けて操作し、トビラを閉じておけばタッチパッド部位に手や指が触れても、画面上カーソルが勝手に移動することなく、思い通りキーの操作が出来ることを特徴としたタッチパッドカバー。
【手続補正２】
【補正対象書類名】明細書
【補正対象項目名】０００１
【補正方法】変更
【補正の内容】
【０００１】
本考案は、ノートパソコンのタッチパッドパネル部分をすべて覆うカバー部品を追加設置し、カバー部品の上部に開閉式のトビラを有することで、トビラを開けて従来通りの使用ができるほか、トビラを閉めることで、誤ってタッチパッドに触れることが無くノートパソコンのキータッチ操作が容易に出来、手の置き場所も十分に確保できるタッチパッドカバーに関するものである。
【手続補正３】
【補正対象書類名】明細書
【補正対象項目名】０００５
【補正方法】変更
【補正の内容】
【０００５】
この改善策として、ノートパソコンのタッチパッドパネルすべてをカバーする部品で覆い、カバー上部にスライド開閉トビラを設け、トビラの開状態と閉状態を任意で選択することで、タッチパッドを使用する人と使用しない人がどちらでも使い分けできるようにした。
【手続補正４】
【補正対象書類名】明細書
【補正対象項目名】０００７
【補正方法】変更
【補正の内容】
【０００７】
本考案は、ノートパソコンのタッチパッドパネル部をすべて覆うカバー部品をノートパソコン本体に両面テープで貼り付けられるようにして、カバー部品にスライドトビラとスライドトビラを収納できるスライドケースを設けることでトビラを開閉出来るようにしたことから、トビラの開状態では通常通りタッチパネルを使用出来るし、閉状態にすることでタッチパッドに指等が触れることで起こる操作のいろいろと不具合な問題を防ぐことで、課題を解決する手段としている。
【手続補正５】
【補正対象書類名】明細書
【補正対象項目名】００１５
【補正方法】変更
【補正の内容】
【００１５】
１  スライドケース
２  スライドトビラ
３  フック
４  フクロ
５  底面
６  タッチパッドパネル
７  ノートパソコン
【手続補正６】
【補正対象書類名】明細書
【補正対象項目名】００１６
【補正方法】削除
【補正の内容】
【手続補正７】
【補正対象書類名】図面
【補正対象項目名】図２
【補正方法】変更
【補正の内容】
【図２】
0003112130.tif 000005